(57)【要約】【課題】１個の光源で、スイッチＯＦＦ時にスイッチ操作部の場所を照らすことができると共に、スイッチＯＮ時には、同じ光源の光を、室内等を照らす照明光して使用することのできるスイッチ付き照明ユニットを提供する。【解決手段】外部に向けて内部から照明光の放射が可能なレンズ４０を有すると共に、ＯＮ操作によりレンズからの照明を可能にするスイッチノブ３０が外部に臨むようにパネル壁１０Ａに設けられた第１ハウジング１０と、第２ウジング２０内に設けられた常時点灯式のＬＥＤ５０と、スイッチノブがＯＦＦ操作されているとき、ＬＥＤの光がスイッチノブを照らす光となるように照光方向を振り向け、スイッチノブがＯＮ操作されているとき、ＬＥＤの光がレンズからの照明光となるように照光方向を振り向けるギヤ３７、７２のセットを備える。【選択図】図１
2011204629.tif 000002
【特許請求の範囲】
【請求項１】
外部に向けて内部から照明光の放射が可能な照明窓を有すると共に、ＯＮ操作により前記照明窓からの照明を可能にするスイッチ操作部が外部に臨むようにパネル壁に設けられたハウジングと、
前記ハウジング内に設けられた常時点灯式の光源と、
前記スイッチ操作部がＯＦＦ操作されているとき、前記光源の発する光が前記スイッチ操作部またはその周囲を照らす光となるように照光方向を振り向け、前記スイッチ操作部がＯＮ操作されているとき、前記光源の発する光が前記照明窓からの照明光となるように照光方向を振り向ける照光方向切換手段と、
を備えることを特徴とするスイッチ付き照明ユニット。
【請求項２】
前記照光方向切換手段として、前記スイッチ操作部のＯＮ／ＯＦＦ操作により、前記光源の発光面の向きを切り換える光源移動手段が設けられており、前記光源移動手段が、前記スイッチ操作部のＯＮ／ＯＦＦのための回動操作、スライド操作、プッシュ操作の少なくとも１つの操作により前記光源の発光面の向きを切り換える機構として構成されていることを特徴とする請求項１に記載のスイッチ付き照明ユニット。
【請求項３】
前記スイッチ操作部の周囲に導光体が配設されており、前記照光方向切換手段が、前記スイッチ操作部がＯＦＦ操作されているときに、前記光源の発する光を前記導光体の入光部に入射させるべく照光方向を振り向けることを特徴とする請求項１または２に記載のスイッチ付き照明ユニット。
【請求項４】
前記スイッチ操作部がＯＦＦ操作されているとき、前記光源からの光が前記照明窓の方向へ漏れるのを遮る仕切壁が設けられていることを特徴とする請求項１〜３のいずれか１項に記載のスイッチ付き照明ユニット。
【発明の詳細な説明】
【技術分野】
【０００１】
本発明は、暗闇でもスイッチ操作部（スイッチノブまたはその周囲）の場所を照らすことができると共に、スイッチ操作により照明光で外部を照らすことのできるスイッチ付き照明ユニットに関するものである。
【背景技術】
【０００２】
図２３は、特許文献１に記載された従来の発光スイッチの構成を示す断面図である。
この発光スイッチ８００は、スイッチ操作（主にＯＮ操作）に伴いスイッチノブ８１０の外周近傍を発光させる発光スイッチであり、回路基板８５０に実装されたＬＥＤ（発光素子＝光源）８２０と、ＬＥＤ８２０を囲うように回路基板８５０上に配置された台座８０１と、スイッチ本体（図示略）の操作部として台座８０１の内部に収容された導光部８１０Ａを有し、押し込み操作されることでスイッチ本体を介してＬＥＤ８２０を発光させるスイッチノブ８１０と、スイッチノブ８１０のＬＥＤ８２０と対向する位置に設けられた遮光部８０３と、この遮光部８０３を囲繞するように台座８０１の上端に配置され、スイッチノブ８１０の導光部８１０Ａを介して誘導されたＬＥＤ８２０の光により発光する発光部材８０２と、を備えている。
【先行技術文献】
【特許文献】
【０００３】
【特許文献１】特開２００７−６６７１４号公報（図９）
【発明の概要】
【発明が解決しようとする課題】
【０００４】
しかしながら、上記特許文献１に記載の従来技術では、スイッチ操作部の場所を照らすためだけに１つのＬＥＤ８２０を使用しており、照明装置として使用するためには、新たに照明用の光源を設ける必要があった。
【０００５】
本発明は、上述した事情に鑑みてなされたものであり、その目的は、１個の光源（１群の光源の場合も含む）で、スイッチＯＦＦ時にスイッチ操作部の場所を照らすことができると共に、スイッチＯＮ時には、同じ光源の光を、室内等を照らす照明光として使用することのできるスイッチ付き照明ユニットを提供することにある。
【課題を解決するための手段】
【０００６】
前述した目的を達成するために、本発明に係るスイッチ付き照明ユニットは、下記（１）〜（４）を特徴としている。
（１）  外部に向けて内部から照明光の放射が可能な照明窓を有すると共に、ＯＮ操作により前記照明窓からの照明を可能にするスイッチ操作部が外部に臨むようにパネル壁に設けられたハウジングと、
前記ハウジング内に設けられた常時点灯式の光源と、
前記スイッチ操作部がＯＦＦ操作されているとき、前記光源の発する光が前記スイッチ操作部またはその周囲を照らす光となるように照光方向を振り向け、前記スイッチ操作部がＯＮ操作されているとき、前記光源の発する光が前記照明窓からの照明光となるように照光方向を振り向ける照光方向切換手段と、
を備えること。
（２）  上記（１）の構成のスイッチ付き照明ユニットにおいて、
前記照光方向切換手段として、前記スイッチ操作部のＯＮ／ＯＦＦ操作により、前記光源の発光面の向きを切り換える光源移動手段が設けられており、前記光源移動手段が、前記スイッチ操作部のＯＮ／ＯＦＦのための回動操作、スライド操作、プッシュ操作の少なくとも１つの操作により前記光源の発光面の向きを切り換える機構として構成されていること。
（３）  上記（１）または（２）の構成のスイッチ付き照明ユニットにおいて、
前記スイッチ操作部の周囲に導光体が配設されており、前記照光方向切換手段が、前記スイッチ操作部がＯＦＦ操作されているときに、前記光源の発する光を前記導光体の入光部に入射させるべく照光方向を振り向けること。
（４）  上記（１）〜（３）のいずれか構成のスイッチ付き照明ユニットにおいて、
前記スイッチ操作部がＯＦＦ操作されているとき、前記光源からの光が前記照明窓の方向へ漏れるのを遮る仕切壁が設けられていること。
【０００７】
上記（１）の構成のスイッチ付き照明ユニットによれば、光源の発する光の照光方向をスイッチ操作部の操作状態に応じて切り換える照光方向切換手段が、スイッチＯＦＦのときは、光源の発する光がスイッチ操作部またはその周囲を照らすように照光方向を振り向け、スイッチＯＮのときは、光源の発する光が照明窓からの照明光となるように照光方向を振り向けるので、１つの光源（１群の光源の場合も含む）しか設けないでも、暗闇でのスイッチ操作部の照らし出し（スイッチ操作部の視認性向上）と、照明窓を通して外部を照明する照明機能との両方を満足させることができる。
上記（２）の構成のスイッチ付き照明ユニットによれば、照光方向切換手段として設けられた光源移動手段が、スイッチ操作部の操作位置に応じて直接、光源の発光面の向きを切り換えるようにしているので、例えば、スイッチ操作部に連動するミラーを動かして光源の光の照光方向を変える場合と比較して、構成を簡略にすることができる。また、光源移動手段が、スイッチ操作部のＯＮ／ＯＦＦのための回動操作、スライド操作、プッシュ操作の少なくとも１つの操作により光源の発光面の向きを切り換える機構として構成されているので、通常使用される種類のスイッチの機構をそのまま組み込むことができ、構成の簡略化に貢献することができる。
上記（３）の構成のスイッチ付き照明ユニットによれば、スイッチ操作部の例えばＯＮ／ＯＦＦ表示部を直接発光させるのではなく、スイッチ操作部の周囲に設けた導光体を発光させるようにしているので、スイッチ操作部自体に光を透過する樹脂を使用する必要がなくなり、設計の自由度が向上する。また、スイッチ操作部に光を透過する樹脂を使用して、ＯＮ／ＯＦＦ表示部だけを発光させるようにした場合であっても、スイッチ操作部の周囲の導光体の発光を組み合わせることによって、暗闇での一層の視認性向上を図ることができる。
上記（４）の構成のスイッチ付き照明ユニットによれば、スイッチＯＦＦのときに、仕切壁によって、光源からの光が照明窓の方向へ漏れるのを遮ることができ、スイッチ操作部またはその周囲だけを照らして、暗闇でのスイッチ操作部の場所の視認性を高めることができる。
【発明の効果】
【０００８】
本発明によれば、１個の光源（１群の光源の場合も含む）で、スイッチＯＦＦ時にスイッチ操作部の場所を照らすことができると共に、スイッチＯＮ時には、同じ光源の光を、室内等を照らす照明光として使用することができる。従って、光源を増やさずに、スイッチＯＦＦ時のスイッチ操作部の視認性の向上と、スイッチＯＮ時の照明光の活用の両方を満足させることができる。
【０００９】
以上、本発明について簡潔に説明した。更に、以下に説明される発明を実施するための形態を添付の図面を参照して通読することにより、本発明の詳細は更に明確化されるであろう。
【図面の簡単な説明】
【００１０】
【図１】本発明の第１実施形態のスイッチ付き照明ユニットの全体構成を示す分解斜視図である。
【図２】同照明ユニットのカバーにスイッチノブを取り付けた状態をカバーを裏返して示す斜視図である。
【図３】図２に示す部分の内側から見た平面図である。
【図４】同照明ユニットの要素であるＦＰＣ（フレキシブルプリント配線板）と、ＦＰＣに実装されるＬＥＤ（光源）と、ＦＰＣに接続されるバネ端子の関係を示す斜視図である。
【図５】同照明ユニットの下部ハウジングにギヤ付きのＬＥＤ支持台とＦＰＣを取り付けた状態を上から見て示す斜視図である。
【図６】同照明ユニットの完成品を上から見て示す斜視図である。
【図７】同照明ユニットの完成品を横から見て示す側面図である。
【図８】図７のＶＩＩＩ−ＶＩＩＩ矢視断面図である。
【図９】同照明ユニットの動作説明用の内部構成を示す側断面図で、（ａ）はスイッチノブがＯＦＦ位置にあるときの状態を示す図、（ｂ）はスイッチノブがＯＮ位置にあるときの状態を示す図である。
【図１０】本発明の第２実施形態のスイッチ付き照明ユニットの全体構成を示す分解斜視図である。
【図１１】同照明ユニットの第２ハウジングにギヤ付きのＬＥＤ支持台とＦＰＣを取り付けた状態を上から見て示す斜視図である。
【図１２】同照明ユニットの完成品を上から見て示す斜視図である。
【図１３】同照明ユニットの動作説明用の内部構成を示す側断面図で、（ａ）はスイッチノブがＯＦＦ位置にあるときの状態を示す図、（ｂ）はスイッチノブがＯＮ位置にあるときの状態を示す図である。
【図１４】本発明の第３実施形態のスイッチ付き照明ユニットの完成品を上から見て示す斜視図である。
【図１５】同照明ユニットのスイッチ付き照明ユニットの全体構成を示す分解斜視図である。
【図１６】同照明ユニットの押しボタン式のスイッチノブと、プッシュロックスイッチと、中間ギヤと、ギヤ付きのＬＥＤ支持台との関係を取り出して示す斜視図である。
【図１７】同照明ユニットの動作説明用の内部構成を示す側断面図で、（ａ）はスイッチノブがＯＦＦ位置にあるときの状態を示す図、（ｂ）はスイッチノブがＯＮ位置にあるときの状態を示す図である。
【図１８】前記第１実施形態のスイッチ付き照明ユニットのスイッチノブの改善点について説明するための図で、同スイッチノブの構成を拡大して示す斜視図である。
【図１９】本発明の第４実施形態のスイッチ付き照明ユニットの全体構成を示す分解斜視図である。
【図２０】同照明ユニットの完成品を上から見て示す斜視図である。
【図２１】同照明ユニットの動作説明用の内部構成を示す側断面図で、（ａ）はスイッチノブがＯＦＦ位置にあるときの状態を示す図、（ｂ）はスイッチノブがＯＮ位置にあるときの状態を示す図である。
【図２２】同照明ユニットの内部構成をスイッチノブの回動軸の位置で縦に切断して示す断面図である。
【図２３】従来の発光スイッチの構成を示す断面図である。
【発明を実施するための形態】
【００１１】
以下、本発明の各実施形態を図面を参照しながら説明する。
第１実施形態は図１〜図９、第２実施形態は図１０〜図１３、第３実施形態は図１４〜図１７、第４実施形態は図１８〜図２２を参照して説明する。
【００１２】
［第１実施形態］
この第１実施形態のスイッチ付き照明ユニットＭ１は、シーソー式（回動式ともいう）のスイッチノブ（スイッチ操作部）を備えたユニットであり、図１は第１実施形態のスイッチ付き照明ユニットの全体構成を示す分解斜視図、図２は同照明ユニットのカバーにスイッチノブを取り付けた状態をカバーを裏返して示す斜視図、図３は図２の部分の内側から見た平面図、図４は同照明ユニットの要素であるＦＰＣ（フレキシブルプリント配線板）とＦＰＣに実装されるＬＥＤ（光源）とＦＰＣに接続されるバネ端子の関係を示す斜視図、図５は同照明ユニットの下部ハウジングにギヤ付きのＬＥＤ支持台とＦＰＣを取り付けた状態を上から見て示す斜視図、図６は同照明ユニットの完成品を上から見て示す斜視図、図７は同照明ユニットの完成品を横から見て示す側面図、図８は図７のＶＩＩＩ−ＶＩＩＩ矢視断面図、図９は同照明ユニットの動作説明用の内部構成を示す側断面図で、（ａ）はスイッチノブがＯＦＦ位置にあるときの状態を示す図、（ｂ）はスイッチノブがＯＮ位置にあるときの状態を示す図である。
【００１３】
図１に示すように、第１実施形態のスイッチ付き照明ユニットＭ１は、カバーやベゼルと呼ばれる遮光性樹脂の成形品よりなる第１ハウジング１０と、同様に遮光性樹脂の成形品よりなる上面開口の箱型の第２ハウジング２０と、透光性樹脂の成形品よりなるシーソー式のスイッチノブ３０と、第１ハウジング１０のパネル壁１０Ａに形成したレンズ装着用開口部１２に嵌め込まれた透光性レンズ（照明窓に相当）４０と、常時点灯式の光源であるＬＥＤ５０と、ＬＥＤ５０が実装されるＦＰＣ（フレキシブルプリント基板）６０と、ＦＰＣ６０に実装されたＬＥＤ５０の本体５１を支持すると共にスイッチノブ３０のＯＮ／ＯＦＦ操作位置に応じて回動することでＬＥＤ５０の発光面５２の向きを切り換えるＬＥＤ支持台７０と、第２ハウジング２０の内部に装着された反射板８０と、第２ハウジング２０の底壁に装着され、ＦＰＣ６０の回路導体と接続されることで外部接続用のコネクタを構成するバネ端子９０と、を備えて構成されている。
【００１４】
第１ハウジング１０は、図１〜図３および図６に示すように、前面が化粧面（パネル面）となる長方形平板状のパネル壁１０Ａと、そのパネル壁１０Ａの下に垂設された四角筒状の嵌合周壁１６とを有し、パネル壁１０Ａには、長方形状のスイッチノブ装着用開口部１１と正方形状のレンズ装着用開口部１２とが隣接して設けられている。レンズ装着用開口部１２には、透光性材料により構成された正方形状のレンズ４０が嵌め込まれ、レンズ４０側の係合突起４１がレンズ装着用開口部１２の内周壁に設けた係合凹部１３に係合することで、レンズ４０が第１ハウジング１０に装着固定されている。この透光性を有するレンズ４０が、スイッチＯＮ時に外部に光を放射する照明窓の機能を果たす。
【００１５】
また、第１ハウジング１０の嵌合周壁１６は、第２ハウジング２０の四角筒状の周壁２６の上端の外周に嵌まる部分であり、第１ハウジング１０の嵌合周壁１６を第２ハウジング２０の周壁２６に嵌合させることで、第１ハウジング１０側のロック孔１７に第２ハウジング２０側のロック突起２７が係合して、第１ハウジング１０と第２ハウジング２０とが互いに外れないようにロックされ、それにより一体のハウジングが構成される。このように構成されたハウジングは、第１ハウジング１０のパネル壁１０Ａを例えば車室内の内装トリムの車室内側に配置することにより、内装トリムの裏側の空間に埋め込み配置される。
【００１６】
また、第１ハウジング１０のスイッチノブ装着用開口部１１の内部には、一対のスイッチノブホルダ１４が対向して設けられ、それらスイッチノブホルダ１４に、周方向の一端が入口としてハの字状に開口した軸受孔１４Ａが設けられている。これらの軸受孔１４Ａには、ハの字状に開いた各入口から、後述するスイッチノブ３０の回動軸３４の両端が回動自在に嵌め込まれる。また、第１ハウジング１０の嵌合周壁１６には、スイッチノブ３０がＯＮ位置に操作されたときに、スイッチノブ３０側に設けた位置決めボス３５の先端が係合するＯＮ時位置決め孔１５Ａと、スイッチノブ３０がＯＦＦ位置に操作されたときに、スイッチノブ３０側に設けた位置決めボス３５の先端が係合するＯＦＦ時位置決め孔１５Ｂとが設けられている。
【００１７】
スイッチノブ３０は、位置決めボス３５の先端が、第１ハウジング１０側のいずれかの位置決め孔１５Ａ、１５Ｂに係合することで、その操作位置に保持されるようになっており、また、スイッチノブ３０が現位置から他方側へ操作されたときには、位置決めボス３５と位置決め孔１５Ａ、１５Ｂの係合が無理なく若干の抵抗力（クリック感）を感じさせながら外れるようになっている。なお、スイッチＯＮからスイッチＯＦＦに切り換える際、または、その逆に切り換える際の途中でのスイッチノブ３０の回動抵抗感は、位置決めボス３５の先端が嵌合周壁１６の内面に摺動する際の摺動抵抗や、後述するギヤ機構等の可動部の慣性抵抗などによって得られるようになっている。従って、スイッチノブ３０はＯＮ位置やＯＦＦ位置から外れていても、勝手にふらつくことはない。
【００１８】
第２ハウジング２０は、上面が開口した箱型のもので、長方形の角筒状の周壁２６と底壁（符号省略）とを有している。図１および図５に示すように、周壁２６のうちの１つの壁には、ＬＥＤ支持台７０の回動軸７１の一端を回動可能に受ける軸受孔２１が形成されている。また、第２ハウジング２０の内部には、底壁に支持をとることで、ホルダ２２が設けられている。このホルダ２２には、前記軸受孔２１と対向して、ＬＥＤ支持台７０の回動軸７１の他端を回動可能に受ける軸受孔２２Ａが設けられており、この軸受孔２２Ａは、周方向の一端が入口としてハの字状に開口した凹部として形成されている。そして、ＬＥＤ支持台７０の回動軸７１の一端を軸受孔２１に斜めの姿勢で嵌め込みつつ、ＬＥＤ支持台７０の回動軸７１の他端を、入口からホルダ２２の軸受孔２２Ａに嵌め込むことにより、ＬＥＤ支持台７０が回動可能に支持されている。なお、周壁２６のうちのホルダ２２に近い壁の上端には、スイッチノブ３０の位置決めボス３５と干渉を避けるための切欠２９が設けられている。
【００１９】
また、第２ハウジング２０の底部には、図７および図８に示すように、小型のコネクタハウジング２８Ｈが設けられており、ＦＰＣ６０の回路導体に一端側の第１端子部９１（図４参照）を導通させたバネ端子９０の他端側の第２端子部９２を、このコネクタハウジング２８Ｈの後壁の孔から圧入することで、外部接続用のコネクタ２８が構成されている。
【００２０】
スイッチノブ（スイッチ操作部）３０は、全体が透光性樹脂で成形されており、上端に長方形の操作面板３１を有している。この操作面板３１の上面には遮光塗装面３２が設けられると共に、遮光塗装面３２の２箇所に、遮光性塗装を施さないＯＮ表示部３３ＡとＯＦＦ表示部３３Ｂが設けられている。これらの部分は、遮光性塗装が施されていないため、裏から光が導入されることにより、発光することができる。ＯＮ表示部３３Ａは、スイッチノブ３０のＯＮに設定された側、ＯＦＦ表示部３３Ｂは、スイッチノブ３０のＯＦＦに設定された側に配置されており、それぞれにＯＮの文字とＯＦＦの文字が表記されている。これらのＯＮ表示部３３ＡやＯＦＦ表示部３３Ｂの文字には、赤や緑などの目立ちやすい透明色塗装が施されているとなお良い。
【００２１】
また、このスイッチノブ３０の側面には、シーソー式に回動させるための回動軸３４が突設されている。回動軸３４は、ＯＮ表示部３３ＡとＯＦＦ表示部３３Ｂの中間に位置しており、この回動軸３４の両端を、図２および図３に示すように、第１ハウジング１０のスイッチノブホルダ１４の軸受孔１４Ａに嵌めることで、スイッチノブ３０の操作面板３１が、図６に示すように、第１ハウジング１０のパネル壁１０Ａのスイッチノブ装着用開口部１１にシーソー状に回動操作（図１の矢印Ａ方向の回動操作）できるように嵌っている。
【００２２】
また、図１に示すように、このスイッチノブ３０の側面には、回動軸３４の下側に位置させて、先端が半球状に丸められた位置決めボス３５が突設されている。この位置決めボス３５は、スイッチノブ３０のＯＮ／ＯＦＦ操作に伴って、その半球状の先端が第１ハウジング１０側の位置決め孔１５Ａ、１５Ｂに選択的に嵌まることで、その位置にスイッチノブ３０を保持する役目を果たす。
【００２３】
また、スイッチノブ３０の操作面板３１の下方には、回動軸３４の位置を中心として外周が円弧状に形成された扇型のギヤ３７が設けられており、その円弧状の外周部にギヤの歯３７Ａが周方向に沿って配列されている。
【００２４】
図４に示すように、ＬＥＤ５０は、ＦＰＣ６０の可撓板部６２の先端の実装面部６２Ａにその本体部５１が実装されており、発光面５２がＦＰＣ６０の実装面部６２Ａの反対側を向いている。ＦＰＣ６０は、固定板部６１と可撓板部６２を一体に有しており、固定板部６１の裏面を両面テープで第２ハウジング２０の内底壁に貼り付けることにより、第２ハウジング２０に固定されている。
【００２５】
また、第２ハウジング２０の底壁には略Ｒ字状の２本のバネ端子９０が装着されている。これらのバネ端子９０は、一端側に湾曲形状の第１端子部９１を有し、他端側に直線形状の第２端子部９２を有するもので、自身のバネの力で、第２ハウジング２０の内底壁に貼り付け固定されたＦＰＣ６０の固定板部６１上の回路導体に第１端子部９１を圧接状態で導通させている。また、第２端子部９２を第２ハウジング２０の底面に設けたコネクタハウジング２８Ｈに収容することで、第２端子部９２をコネクタ端子としたコネクタ２８を構成している。
【００２６】
また、ＦＰＣ６０に実装されたＬＥＤ５０を支持するために、可動式のＬＥＤ支持台７０が、第２ハウジング２０の内部に配設されている。ＬＥＤ支持台７０は、回動軸７１と、この回動軸７１の周囲に同軸に設けられたギヤ７２と、ＬＥＤ支持台座部７３とを備えている。ＬＥＤ支持台座部７３は、回動軸７１から離れた頂面を有しており、その頂面にＬＥＤ５０を実装したＦＰＣ６０の実装面部６２Ａが貼り付け固定されている。このＬＥＤ５０を支持する頂面は、回動軸を頂点とする二等辺三角形の底辺に相当する面である。
【００２７】
このように構成されたＬＥＤ支持台７０は、図５に示すように、回動軸７１の一端を、第２ハウジング２０の周壁２６の軸受孔２１に嵌め込み、回動軸７１の他端を、第２ハウジング２０の内底部に立設したホルダ２２の軸受孔２２Ａに嵌めることで、回動軸７１を中心に回動自在に支持されており、この状態で、スイッチノブ３０を組み付けた第１ハウジング１０と、ＬＥＤ支持台７０を組み付けた第２ハウジング２０を合体させることにより、スイッチノブ３０のギヤ３７の歯３７ＡとＬＥＤ支持台７０のギヤ７２の歯が噛み合っている。
【００２８】
そして、図９（ａ）に示すように、スイッチノブ３０をＯＦＦ位置に操作したとき、ＬＥＤ支持台７０の支持台座部７３に支持されたＬＥＤ５０がスイッチノブ３０の直下に位置し、発光面５２から出射された光Ｈがスイッチノブ３０に背面から入射し、ＯＮ表示部３３ＡおよびＯＦＦ表示部３３Ｂを発光させ、一方、図９（ｂ）に示すように、スイッチノブ３０をＯＮ位置に操作したとき、ＬＥＤ支持台７０の支持台座部７３に支持されたＬＥＤ５０が横を向き、発光面５２からの光Ｈが反射板８０の凹面状の反射面８１を介して、レンズ４０を通して照明光として外部に放射されるように構成されている。
【００２９】
従って、スイッチノブ３０に設けられたギヤ３７とＬＥＤ支持台７０に設けられたギヤ７２の組み合わせ機構が、「スイッチノブ３０がＯＦＦ操作されているとき、ＬＥＤ５０の発する光がスイッチノブ３０を照らす光となるように照光方向を振り向け、スイッチノブ３０がＯＮ操作されているとき、ＬＥＤ５０の発する光がレンズ（照明窓）４０からの照明光となるように照光方向を振り向ける照光方向切換手段」や「光源移動手段」に相当している。
【００３０】
次に作用を説明する。
図９（ａ）に示すように、スイッチノブ３０がＯＦＦ位置に操作されているとき、ＬＥＤ支持台７０の支持台座部７３に支持されたＬＥＤ５０はスイッチノブ３０の直下に位置しており、常時点灯式のＬＥＤ５０の発光面５２から出射された光Ｈは、スイッチノブ３０に背面から入射して、ＯＮ表示部３３ＡおよびＯＦＦ表示部３３Ｂを発光させる。
【００３１】
一方、図９（ｂ）に示すように、スイッチノブ３０のＯＮ表示部３３Ａ側を矢印Ｆのように押し込むと、スイッチノブ３０がＯＦＦ位置からＯＮ位置に回動し、スイッチノブ３０のギヤ３７が矢印Ｒ１方向に回動することにより、そのギヤ３７に噛み合うＬＥＤ支持台７０側のギヤ７２が矢印Ｒ２方向に回動し、ＬＥＤ支持台７０が回動することにより、支持台座部７３に支持されたＬＥＤ５０が横向きとなり、常時点灯式のＬＥＤ５０の発光面５２から出射された光Ｈは、反射板８０の凹面状の反射面８１に方向に進み、反射面８１で反射されて、レンズ４０を通して照明光として外部に放射される。
【００３２】
このように、この実施形態のスイッチ付き照明ユニットＭ１によれば、ＬＥＤ５０の発する光Ｈの照光方向をスイッチノブ３０の操作位置に応じて切り換えるので、つまり、スイッチＯＦＦのときは、ＬＥＤ５０の発する光Ｈでスイッチノブ３０のＯＮ／ＯＦＦ表示部３３Ａ、３３Ｂを発光させ、スイッチＯＮのときは、ＬＥＤ５０の発する光Ｈを、レンズ４０を通して照明光として外部に放射させるようにしているので、１つのＬＥＤ５０しか設けないでも、暗闇でのスイッチノブ３０の照らし出し（スイッチノブ３０の視認性向上）と、レンズ４０を通して外部を照明する照明機能との両方を満足させることができ、コスト削減を図ることができる。
【００３３】
［第２実施形態］
この第２実施形態のスイッチ付き照明ユニットＭ２は、スライド式のスイッチノブ（スイッチ操作部）を備えたスイッチ付き照明ユニットであり、図１０はスイッチ付き照明ユニットの全体構成を示す分解斜視図、図１１は同照明ユニットのハウジングにギヤ付きのＬＥＤ支持台とＦＰＣを取り付けた状態を上から見て示す斜視図、図１２は同照明ユニットの完成品を上から見て示す斜視図、図１３は同照明ユニットの動作説明用の内部構成を示す側断面図で、（ａ）はスイッチノブがＯＦＦ位置にあるときの状態を示す図、（ｂ）はスイッチノブがＯＮ位置にあるときの状態を示す図である。なお、図および以降の説明文において、図１〜図９に示した第１実施形態のユニットＭ１における要素と同一要素には同一符号を付して説明を簡略化する。
【００３４】
図１０に示すように、第２実施形態のスイッチ付き照明ユニットＭ２は、カバーやベゼルと呼ばれる遮光性樹脂の成形品よりなる第１ハウジング１１０と、同様に遮光性樹脂の成形品よりなる上面開口の箱型の第２ハウジング２０と、透光性樹脂の成形品よりなるスライド式のスイッチノブ１３０と、第１ハウジング１１０のパネル壁１１０Ａに形成したレンズ装着用開口部１２に嵌め込まれた透光性レンズ（照明窓に相当）４０と、常時点灯式の光源であるＬＥＤ５０と、ＬＥＤ５０が実装されるＦＰＣ（フレキシブルプリント基板）６０と、ＦＰＣ６０に実装されたＬＥＤ５０の本体５１を支持すると共にスイッチノブ３０のＯＮ／ＯＦＦ操作位置に応じて回動することでＬＥＤ５０の発光面５２の向きを切り換えるＬＥＤ支持台７０と、第２ハウジング２０の内部に装着された反射板８０と、第２ハウジング２０の底壁に装着され、ＦＰＣ６０の回路導体と接続されることで外部接続用のコネクタを構成するバネ端子９０と、を備えて構成されている。
【００３５】
第１ハウジング１１０は、図１０に示すように、前面が化粧面（パネル面）となる長方形平板状のパネル壁１１０Ａと、そのパネル壁１１０Ａの下に垂設された四角筒状の嵌合周壁１６とを有し、パネル壁１１０Ａには、長方形状のスイッチノブ装着用開口部１１１と正方形状のレンズ装着用開口部１２とが隣接して設けられている。レンズ装着用開口部１２には、透光性材料により構成された正方形状のレンズ４０が嵌め込まれ、レンズ４０側の係合突起４１がレンズ装着用開口部１２の内周壁に設けた係合凹部１３に係合することで、レンズ４０が第１ハウジング１１０に装着固定されている。この透光性を有するレンズ４０が、スイッチＯＮ時に外部に光を放射する照明窓の機能を果たす。
【００３６】
また、第１ハウジング１１０の嵌合周壁１６は、第２ハウジング２０の四角筒状の周壁２６の上端の外周に嵌まる部分であり、第１ハウジング１１０の嵌合周壁１６を第２ハウジング２０の周壁２６に嵌合させることで、第１ハウジング１１０側のロック孔１７に第２ハウジング２０側のロック突起２７が係合して、第１ハウジング１１０と第２ハウジング２０とが互いに外れないようにロックされ、それにより一体のハウジングが構成される。このように構成されたハウジングは、第１ハウジング１１０のパネル壁１１０Ａを例えば車室内の内装トリムの車室内側に配置することにより、内装トリムの裏側の空間に埋め込み配置される。
【００３７】
また、第１ハウジング１１０のスイッチノブ装着用開口部１１１のスイッチノブ１３０のスライド方向における両端部には、スイッチノブ１３０を矢印Ｂ方向にスライド自在に支持する受板１１１Ａが設けられている。これらの受板１１１Ａは、後述するスイッチノブ１３０の操作板部１３１をスライド自在に載せる部分である。
【００３８】
また、第１ハウジング１０の嵌合周壁１６には、スイッチノブ１３０がＯＮ位置に操作されたときに、スイッチノブ１３０側に設けた位置決めボス１３５（図１３（ａ）参照）の先端が係合するＯＮ時位置決め孔１５Ａと、スイッチノブ１３０がＯＦＦ位置に操作されたときに、スイッチノブ１３０側に設けた位置決めボス１３５の先端が係合するＯＦＦ時位置決め孔１５Ｂとが設けられている。この場合は、ＯＮ時位置決め孔１５ＡとＯＦＦ時位置決め孔１５Ｂは、スイッチノブ１３０のスライド方向に並んでいる。
【００３９】
スライド式のスイッチノブ１３０は、位置決めボス１３５の先端が、第１ハウジング１１０側のいずれかの位置決め孔１５Ａ、１５Ｂに係合することで、その操作位置に保持されるようになっており、また、スイッチノブ１３０が現位置から他方側へ操作されたときには、位置決めボス１３５と位置決め孔１５Ａ、１５Ｂの係合が無理なく若干の抵抗力（クリック感）を感じさせながら外れるようになっている。なお、スイッチＯＮからスイッチＯＦＦに切り換える際、または、その逆に切り換える際の途中でのスイッチノブ１３０の回動抵抗感は、位置決めボス１３５の先端が嵌合周壁１６の内面に摺動する際の摺動抵抗や、後述するギヤ機構等の可動部の慣性抵抗などによって得られるようになっている。従って、スイッチノブ１３０はＯＮ位置やＯＦＦ位置から外れていても、勝手にふらつくことはない。
【００４０】
第２ハウジング２０は、第１実施形態の照明ユニットＭ１と同様に、上面が開口した箱型のもので、長方形の角筒状の周壁２６と底壁（符号省略）とを有している。図１１に示すように、周壁２６のうちの１つの壁には、ＬＥＤ支持台７０の回動軸７１の一端を回動可能に受ける軸受孔２１が形成されている。また、第２ハウジング２０の内部には、底壁に支持をとることで、ホルダ２２が設けられている。このホルダ２２には、前記軸受孔２１と対向して、ＬＥＤ支持台７０の回動軸７１の他端を回動可能に受ける軸受孔２２Ａが設けられており、この軸受孔２２Ａは、周方向の一端が入口としてハの字状に開口した凹部として形成されている。そして、ＬＥＤ支持台７０の回動軸７１の一端を軸受孔２１に斜めの姿勢で嵌め込みつつ、ＬＥＤ支持台７０の回動軸７１の他端を、入口からホルダ２２の軸受孔２２Ａに嵌め込むことにより、ＬＥＤ支持台７０が回動可能に支持されている。なお、周壁２６のうちのホルダ２２に近い壁の上端には、スイッチノブ３０の位置決めボス３５と干渉を避けるための切欠２９が設けられている。
【００４１】
また、第２ハウジング２０の底部には、第１実施形態と同様に、バネ端子９０によって外部接続用のコネクタ２８が構成されている。
【００４２】
スイッチノブ（スイッチ操作部）１３０は、全体が透光性樹脂で成形されており、上端に長方形平板状の操作面板１３１を有している。この操作面板１３１の上面には遮光塗装面１３２が設けられると共に、遮光塗装面１３２の２箇所に、遮光性塗装を施さないＯＮ表示部１３３ＡとＯＦＦ表示部１３３Ｂが設けられている。これらの部分は遮光性塗装が施されていないため、裏から光が導入されることにより、発光することができる。ＯＮ表示部１３３Ａは、スイッチノブ１３０のＯＮに設定された側、ＯＦＦ表示部１３３Ｂは、スイッチノブ１３０のＯＦＦに設定された側に配置されており、それぞれにＯＮの文字とＯＦＦの文字が表記されている。これらのＯＮ表示部１３３ＡやＯＦＦ表示部１３３Ｂの文字には、赤や緑などの目立ちやすい透明色塗装が施されているとなお良い。
【００４３】
また、このスイッチノブ１３０の操作面板１３１の下部には、スイッチノブ１３０をスライド自在に第１ハウジング１１０のスイッチノブ装着用開口部１１１の開口縁に係合する係合爪１３４が設けられており、上からスイッチノブ１３０の下方部分をスイッチノブ装着用開口部１１１に嵌め込むことで、係合爪１３４によって外れないように保持され、図１２に示すように、スイッチノブ１３０の操作面板１３１が、矢印Ｂ方向にスライド自在に組み付けられている。また、このスイッチノブ１３０の操作面板１３１の下部には、ラックギヤブロック１３６を固定するバー１３８が突設されており、このバー１３８の先端にラックギヤブロック１３６がネジ１３７で固定されている。ラックギヤブロック１３６の下面には、ラックギヤ１３６Ａが設けられている。
【００４４】
また、図１３（ａ）に示すように、このスイッチノブ１３０の操作面板１３１の下部には、先端が半球状に丸められた位置決めボス１３５が突設されている。この位置決めボス１３５は、スイッチノブ１３０のＯＮ／ＯＦＦ操作に伴って、その半球状の先端が第１ハウジング１１０側の位置決め孔１５Ａ、１５Ｂに選択的に嵌まることで、その位置にスイッチノブ１３０を保持する役目を果たす。
【００４５】
また、第１実施形態と同様に、ＬＥＤ５０は、ＦＰＣ６０の可撓板部６２の先端の実装面部６２Ａに実装されており、図１３に示すように、発光面５２がＦＰＣ６０の実装面部６２Ａの反対側を向いている。ＦＰＣ６０は、固定板部６１と可撓板部６２を一体に有しており、固定板部６１の裏面を両面テープで第２ハウジング２０の内底壁に貼り付けることにより、第２ハウジング２０に固定されている。
【００４６】
また、第１実施形態と同様に、第２ハウジング２０の底壁には２本のバネ端子９０が装着されている。これらのバネ端子９０は、図４に示すように、一端側に湾曲形状の第１端子部９１を有し、他端側に直線形状の第２端子部９２を有するもので、自身のバネの力で、第２ハウジング２０の内底壁に貼り付け固定されたＦＰＣ６０の固定板部６１上の回路導体に第１端子部９１を圧接状態で導通させている。また、第２端子部９２を第２ハウジング２０の底面に設けたコネクタハウジングに収容することで、第２端子部９２をコネクタ端子としたコネクタを構成している。
【００４７】
また、ＦＰＣ６０に実装されたＬＥＤ５０を支持するために、可動式のＬＥＤ支持台７０が、第２ハウジング２０の内部に配設されている。ＬＥＤ支持台７０は、第１実施形態と同様に、回動軸７１と、この回動軸７１の周囲に同軸に設けられたギヤ７２と、ＬＥＤ支持台座部７３とを備えている。ＬＥＤ支持台座部７３は、回動軸７１から離れた頂面を有しており、その頂面にＬＥＤ５０を実装したＦＰＣ６０の実装面部６２Ａが貼り付け固定されている。このＬＥＤ５０を支持する頂面は、回動軸を頂点とする二等辺三角形の底辺に相当する面である。
【００４８】
このように構成されたＬＥＤ支持台７０は、図１１に示すように、回動軸７１の一端を、第２ハウジング２０の周壁２６の軸受孔２１に嵌め込み、回動軸７１の他端を、第２ハウジング２０の内底部に立設したホルダ２２の軸受孔２２Ａに嵌めることで、回動軸７１を中心に回動自在に支持されており、この状態で、スイッチノブ１３０を組み付けた第１ハウジング１１０と、ＬＥＤ支持台７０を組み付けた第２ハウジング２０を合体させることにより、スイッチノブ１３０のラックギヤブロック１３６のラックギヤ１３６ＡとＬＥＤ支持台７０のギヤ７２の歯が噛み合っている。
【００４９】
そして、図１３（ａ）に示すように、スイッチノブ１３０をＯＦＦ位置にスライド操作したとき、ＬＥＤ支持台７０の支持台座部７３に支持されたＬＥＤ５０がスイッチノブ１３０の直下に位置し、発光面５２から出射された光Ｈがスイッチノブ１３０に背面から入射し、ＯＮ表示部１３３ＡおよびＯＦＦ表示部１３３Ｂを発光させ、一方、図１３（ｂ）に示すように、スイッチノブ１３０をＯＦＦ位置からＯＮ位置にスライド操作したとき、ＬＥＤ支持台７０の支持台座部７３に支持されたＬＥＤ５０が横を向き、発光面５２からの光Ｈが反射板８０の凹面状の反射面８１を介して、レンズ４０を通して照明光として外部に放射されるように構成されている。
【００５０】
従って、スイッチノブ１３０に設けられたラックギヤブロック１３６とＬＥＤ支持台７０に設けられたギヤ７２の組み合わせ機構が、「スイッチノブ１３０がＯＦＦ操作されているとき、ＬＥＤ５０の発する光がスイッチノブ１３０を照らす光となるように照光方向を振り向け、スイッチノブ１３０がＯＮ操作されているとき、ＬＥＤ５０の発する光がレンズ（照明窓）４０からの照明光となるように照光方向を振り向ける照光方向切換手段」や「光源移動手段」に相当している。
【００５１】
次に作用を説明する。
図１３（ａ）に示すように、スイッチノブ１３０がＯＦＦ位置に操作されているとき、ＬＥＤ支持台７０の支持台座部７３に支持されたＬＥＤ５０はスイッチノブ１３０の直下に位置しており、常時点灯式のＬＥＤ５０の発光面５２から出射された光Ｈは、スイッチノブ１３０に背面から入射して、ＯＮ表示部１３３ＡおよびＯＦＦ表示部１３３Ｂを発光させる。
【００５２】
一方、図１３（ｂ）に示すように、スイッチノブ１３０のＯＮ表示部１３３Ａ側を矢印Ｆ２の方向にスライドさせると、スイッチノブ１３０のＯＦＦ位置からＯＮ位置への動きにより、ラックギヤブロック１３６が矢印Ｓ２方向に横移動し、それによりラックギヤブロック１３６のラックギヤ１３６Ａに噛み合うＬＥＤ支持台７０側のギヤ７２が矢印Ｒ２方向に回動し、ＬＥＤ支持台７０が回動することにより、支持台座部７３に支持されたＬＥＤ５０が横向きとなり、常時点灯式のＬＥＤ５０の発光面５２から出射された光Ｈは、反射板８０の凹面状の反射面８１に方向に進み、反射面８１で反射されて、レンズ４０を通して照明光として外部に放射される。
【００５３】
このように、この実施形態のスイッチ付き照明ユニットＭ２によれば、スイッチノブ１３０のスライド位置に応じて、ＬＥＤ５０の発する光Ｈの照光方向を切り換えるので、つまり、スイッチＯＦＦのときは、ＬＥＤ５０の発する光Ｈでスイッチノブ１３０のＯＮ／ＯＦＦ表示部１３３Ａ、１３３Ｂを発光させ、スイッチＯＮのときは、ＬＥＤ５０の発する光Ｈを、レンズ４０を通して照明光として外部に放射させるようにしているので、１つのＬＥＤ５０しか設けないでも、暗闇でのスイッチノブ１３０の照らし出し（スイッチノブ１３０の視認性向上）と、レンズ４０を通して外部を照明する照明機能との両方を満足させることができ、コスト削減を図ることができる。
【００５４】
［第３実施形態］
この第３実施形態のスイッチ付き照明ユニットＭ３は、プッシュ式のスイッチノブ（スイッチ操作部）を備えたスイッチ付き照明ユニットであり、図１４はスイッチ付き照明ユニットの完成品を上から見て示す斜視図、図１５は同照明ユニットのスイッチ付き照明ユニットの分解斜視図、図１６は同照明ユニットの押しボタン式のスイッチノブと、プッシュロックスイッチと、中間ギヤと、ギヤ付きのＬＥＤ支持台との関係を取り出して示す斜視図、図１７は同照明ユニットの動作説明用の内部構成を示す側断面図で、（ａ）はスイッチノブがＯＦＦ位置にあるときの状態を示す図、（ｂ）はスイッチノブがＯＮ位置にあるときの状態を示す図である。なお、図および以降の説明文において、図１〜図９に示した第１実施形態のユニットＭ１における要素と同一要素には同一符号を付して説明を簡略化する。
【００５５】
図１４および図１５に示すように、第３実施形態のスイッチ付き照明ユニットＭ３は、カバーやベゼルと呼ばれる遮光性樹脂と透光性樹脂の二色成形品よりなる第１ハウジング２１０と、遮光性樹脂の成形品よりなる上面開口の箱型の第２ハウジング２２０と、透光性樹脂の成形品よりなるプッシュ式のスイッチノブ２３０と、スイッチノブ２３０に連動するプッシュロックスイッチ２９０と、常時点灯式の光源であるＬＥＤ５０と、ＬＥＤ５０が実装されるＦＰＣ（フレキシブルプリント基板）２６０と、ＦＰＣ２６０に実装されたＬＥＤ５０の本体５１（図１７参照）を支持すると共にスイッチノブ２３０のＯＮ／ＯＦＦ操作位置に応じて回動することでＬＥＤ５０の発光面５２の向きを切り換えるＬＥＤ支持台２７０と、第２ハウジング２２０の内部に装着された反射板８０と、第２ハウジング２２０の底壁に装着され、ＦＰＣ２６０の回路導体と接続されることで外部接続用のコネクタを構成するバネ端子（図示略）と、を備えて構成されている。外部に照明光を放射する照明窓に相当するレンズ２４０は、第１ハウジング２１０のパネル壁２１０Ａに予め一体に成形されている。
【００５６】
第１ハウジング２１０は、前面が化粧面（パネル面）となる長方形平板状のパネル壁２１０Ａそのものであり、パネル壁２１０Ａの遮光樹脂製部分には、長方形状のスイッチノブ装着用開口部２１１が設けられている。また、第１ハウジング２１０のパネル壁２１０Ａは、第２ハウジング２２０の上面開口に嵌め込み固定されることで、一体のハウジングを構成している。
【００５７】
第２ハウジング２２０は、上面が開口した箱型のもので、長方形の角筒状の周壁と底壁（符号省略）とを有している。また、第２ハウジング２２０には、ＬＥＤ支持台２７０の回動軸２７１を回動自在に支持する支持部が設けられている。
【００５８】
押しボタン式のスイッチノブ（スイッチ操作部）２３０は、全体が透光性樹脂で成形されており、図１６に示すように、上端に長方形平板状の操作面板２３１を有している。この操作面板２３１の上面には遮光塗装面２３２が設けられると共に、遮光塗装面２３２の中央に、遮光性塗装を施さない表示部２３３が設けられている。この部分は遮光性塗装が施されていないため、裏から光が導入されることにより、発光することができる。表示部２３３には、ＯＮの文字だけが表記されている。この表示部２３３の文字には、赤や緑などの目立ちやすい透明色塗装が施されているとなお良い。
【００５９】
また、このスイッチノブ２３０の操作面板２３１の下部には、プッシュロックスイッチ連動部２３５とギヤバー２３６とが突設されており、プッシュロックスイッチ連動部２３５の下端は、プッシュロックスイッチ２９０の可動部２９１に連動可能に対向している。プッシュロックスイッチ２９０は、可動部２９１を１回押すと押下状態を保持（ＯＮ位置保持）し、もう１回押すと押下状態を解除（ＯＦＦ位置保持）するものである。また、ギヤバー２３６の側面にはラックギヤ２３７が形成されており、このラックギヤ２３７は、第２ハウジング２２０に回動軸２８１が回転自在に支持された中間ギヤ２８０の歯に噛合している。この中間ギヤ２８０の歯の他の部分は、ＬＥＤ支持台２７０のギヤ２７２に噛合している。従って、ラックギヤ２３７が直線スライドすると、中間ギヤ２８０を介して、ＬＥＤ支持台２７０が回動する。
【００６０】
また、ＬＥＤ５０は、ＦＰＣ２６０の可撓板部２６２の先端の実装面部２６２Ａに実装されており、図１７に示すように、発光面５２がＦＰＣ２６０の実装面部２６２Ａの反対側を向いている。ＦＰＣ２６０は、固定板部２６１と可撓板部２６２を一体に有しており、固定板部２６１の裏面を両面テープで第２ハウジング２２０の内底壁に貼り付けることにより、第２ハウジング２２０に固定されている。
【００６１】
また、図示しないが、第１実施形態と同様に、第２ハウジング２２０の底壁には２本のバネ端子が装着されている。これらのバネ端子は、ＦＰＣ２６０の回路導体をコネクタ端子として電気的に引き出している。
【００６２】
また、ＬＥＤ５０を支持する可動式のＬＥＤ支持台２７０が、第２ハウジング２２０の内部に配設されている。ＬＥＤ支持台２７０は、第１実施形態と同様に、回動軸２７１と、この回動軸２７１の周囲に同軸に設けられたギヤ２７２と、ＬＥＤ支持台座部２７３とを備えている。ＬＥＤ支持台座部２７３は、回動軸２７１から離れた頂面を有しており、その頂面にＬＥＤ５０を実装したＦＰＣ２６０の実装面部２６２Ａが貼り付け固定されている。このＬＥＤ５０を支持する頂面は、回動軸を頂点とする二等辺三角形の底辺に相当する面である。
【００６３】
このように構成されたＬＥＤ支持台２７０は、回動軸２７１を介して第２ハウジング２２０に回動自在に支持されており、スイッチノブ２３０を組み付けた第１ハウジング２１０と、ＬＥＤ支持台２７０を組み付けた第２ハウジング２２０を合体させることにより、スイッチノブ２３０のラックギヤ２３７が、中間ギヤ２８０を介して、ＬＥＤ支持台２７０のギヤ２７２と噛み合った状態になる。
【００６４】
そして、図１７（ａ）に示すように、スイッチノブ２３０がＯＦＦ位置にあるとき、ＬＥＤ支持台２７０の支持台座部２７３に支持されたＬＥＤ５０がスイッチノブ２３０の直下に位置し、発光面５２から出射された光Ｈがスイッチノブ２３０に背面から入射し、ＯＮ表示部２３３を発光させ、一方、図１７（ｂ）に示すように、スイッチノブ２３０を押し下げたとき（図１６中矢印Ｃの動き）、ＬＥＤ支持台２７０の支持台座部２７３に支持されたＬＥＤ５０が横を向き、発光面５２からの光Ｈが反射板８０の凹面状の反射面８１を介して、レンズ２４０を通して照明光として外部に放射されるように構成されている。
【００６５】
従って、スイッチノブ２３０に設けられたラックギヤ２３７とＬＥＤ支持台２７０に設けられたギヤ２７２の組み合わせ機構が、「スイッチノブ２３０がＯＦＦ操作されているとき、ＬＥＤ５０の発する光がスイッチノブ２３０を照らす光となるように照光方向を振り向け、スイッチノブ２３０がＯＮ操作されているとき、ＬＥＤ５０の発する光がレンズ（照明窓）２４０からの照明光となるように照光方向を振り向ける照光方向切換手段」や「光源移動手段」に相当している。
【００６６】
次に作用を説明する。
図１７（ａ）に示すように、スイッチノブ２３０がＯＦＦ位置にあるとき、ＬＥＤ支持台２７０の支持台座部２７３に支持されたＬＥＤ５０はスイッチノブ２３０の直下に位置しており、常時点灯式のＬＥＤ５０の発光面５２から出射された光Ｈは、スイッチノブ２３０に背面から入射して、表示部２３３を発光させる。
【００６７】
一方、図１７（ｂ）に示すように、スイッチノブ２３０の操作面板２３１を矢印Ｆ３方向に押し込むと、スイッチノブ２３０のＯＦＦ位置からＯＮ位置への動きにより、ラックギヤ２３７が矢印Ｓ３方向に縦移動し、それにより中間ギヤ２８０が矢印Ｒ４方向の回動し、その動きによりＬＥＤ支持台２７０側のギヤ７２が矢印Ｒ５方向に回動し、ＬＥＤ支持台２７０が回動することにより、支持台座部２７３に支持されたＬＥＤ５０が横向きあるいは斜め向きとなり、常時点灯式のＬＥＤ５０の発光面５２から出射された光Ｈが、直接あるいは反射板８０の凹面状の反射面８１で反射されて、レンズ２４０を通して照明光として外部に放射される。
【００６８】
このように、この実施形態のスイッチ付き照明ユニットＭ３によれば、スイッチノブ２３０の操作位置に応じて、ＬＥＤ５０の発する光Ｈの照光方向を切り換えるので、つまり、スイッチＯＦＦのときは、ＬＥＤ５０の発する光Ｈでスイッチノブ２３０の表示部２３３を発光させ、スイッチＯＮのときは、ＬＥＤ５０の発する光Ｈを、レンズ２４０を通して照明光として外部に放射させるようにしているので、１つのＬＥＤ５０しか設けないでも、暗闇でのスイッチノブ２３０の照らし出し（スイッチノブ２３０の視認性向上）と、レンズ４０を通して外部を照明する照明機能との両方を満足させることができ、コスト削減を図ることができる。
【００６９】
［第４実施形態］
この第４実施形態のスイッチ付き照明ユニットＭ４は、第１実施形態のスイッチ付き照明ユニットＭ１の変形として、スイッチノブの周囲に導光体を配置し、スイッチＯＦＦ時にその導光体を発光させることで、暗闇におけるスイッチノブの視認性を高めるようにしたスイッチ付き照明ユニットであり、図１８は前記第１実施形態のスイッチ付き照明ユニットＭ１のスイッチノブの改善点について説明するための図で、同スイッチノブの構成を拡大して示す斜視図、図１９は本実施形態のスイッチ付き照明ユニットの分解斜視図、図２０は同照明ユニットの完成品を上から見て示す斜視図、図２１は同照明ユニットの動作説明用の内部構成を示す側断面図で、（ａ）はスイッチノブがＯＦＦ位置にあるときの状態を示す図、（ｂ）はスイッチノブがＯＮ位置にあるときの状態を示す図、図２２は同照明ユニットの内部構成を、スイッチノブの回動軸の位置で縦に切断して示す断面図である。なお、図および以降の説明文において、図１〜図９に示した第１実施形態のユニットＭ１における要素と同一要素には同一符号を付して説明を簡略化する。
【００７０】
図１８に示す第１実施形態の照明ユニットＭ１で用いたスイッチノブ３０は、ＯＮ／ＯＦＦ表示部３３Ａ、３３Ｂを発光させる必要があるため、全体を透光性樹脂で成形し、発光させない操作板部３１の表面のＯＮ／ＯＦＦ表示部３３Ａ、３３Ｂ以外の場所を、遮光性塗料の塗布により遮光処理していた。それに対し、第４実施形態の照明ユニットＭ４では、新たにスイッチノブ３３０の周囲に導光体３４０を配置し、この導光体３４０を発光させることで、スイッチノブ３３０の場所を暗闇でも確認できるようにした。こうすることにより、スイッチノブ３３０の材料を透光性樹脂とする必要がなくなる。
【００７１】
図１９に示すように、第４実施形態のスイッチ付き照明ユニットＭ４は、カバーやベゼルと呼ばれる遮光性樹脂の成形品よりなる第１ハウジング３１０と、同様に遮光性樹脂の成形品よりなる上面開口の箱型の第２ハウジング２０と、透光性樹脂の成形品よりなるシーソー式のスイッチノブ３３０と、第１ハウジング３１０のパネル壁３１０Ａに形成したレンズ装着用開口部１２に嵌め込まれた透光性レンズ（照明窓に相当）４０と、常時点灯式の光源であるＬＥＤ５０と、ＬＥＤ５０が実装されるＦＰＣ（フレキシブルプリント基板）６０と、ＦＰＣ６０に実装されたＬＥＤ５０の本体５１を支持すると共にスイッチノブ３３０のＯＮ／ＯＦＦ操作位置に応じて回動することでＬＥＤ５０の発光面５２の向きを切り換えるＬＥＤ支持台７０と、第２ハウジング２０の内部に装着された反射板８０と、第２ハウジング２０の底壁に装着され、ＦＰＣ６０の回路導体と接続されることで外部接続用のコネクタを構成するバネ端子９０と、を備えて構成されている。
【００７２】
第１ハウジング３１０は、図１９および図２２に示すように、前面が化粧面（パネル面）となる長方形平板状のパネル壁３１０Ａと、そのパネル壁３１０Ａの下に垂設された四角筒状の嵌合周壁１６とを有し、パネル壁３１０Ａには、長方形状の第１実施形態より大きめのスイッチノブ装着用開口部３１１と正方形状のレンズ装着用開口部１２とが隣接して設けられている。レンズ装着用開口部１２には、透光性材料により構成された正方形状のレンズ４０が嵌め込まれ、レンズ４０側の係合突起４１がレンズ装着用開口部１２の内周壁に設けた係合凹部１３に係合することで、レンズ４０が第１ハウジング１０に装着固定されている。この透光性を有するレンズ４０が、スイッチＯＮ時に外部に光を放射する照明窓の機能を果たす。
【００７３】
また、第１ハウジング３１０の嵌合周壁１６は、第２ハウジング２０の四角筒状の周壁２６の上端の外周に嵌まる部分であり、第１ハウジング３１０の嵌合周壁１６を第２ハウジング２０の周壁２６に嵌合させることで、第１ハウジング３１０側のロック孔１７に第２ハウジング２０側のロック突起２７が係合して、第１ハウジング３１０と第２ハウジング２０とが互いに外れないようにロックされ、それにより一体のハウジングが構成される。このように構成されたハウジングは、第１ハウジング３１０のパネル壁３１０Ａを例えば車室内の内装トリムの車室内側に配置することにより、内装トリムの裏側の空間に埋め込み配置される。
【００７４】
また、この場合の第１ハウジング３１０のスイッチノブ装着用開口部３１１は、導光体３４０を嵌め込めるように大きめに形成されており、外周側に導光体３４０が嵌め込まれ、その導光体３４０の内周側にスイッチノブ３３０が収容されている。
【００７５】
導光体３４０は、透明樹脂に必要に応じて発光粉を混入した材料よりなるもので、スイッチノブ３３０の操作板部３１の嵌まる矩形開口３４２を有した長方形の枠部３４１と、その枠部３４１の長辺部の下側に突設された一対のスイッチノブホルダ３４４と、残る２つの短辺部のうちレンズ４０に近い方の短辺部の下側に突設された柱状の入光部３４３と、を備えている。長方形の枠部３４１は、入光部３４３から光が入射されることで発光するようになっており、図２２に示すように、枠部３４１を下からスイッチノブ装着用開口部３１１に嵌め込むことで、第１ハウジング１１０のパネル壁１１０Ａの下面に設けた導光体保持爪３１８によって保持されている。
【００７６】
また、図２１に示すように、導光体３４０の入光部３４３のレンズ４０の位置には、スイッチノブ３３０がＯＦＦ位置にあるとき、ＬＥＤ５０からの光が、照明窓であるレンズ４０の方向へ極力漏れるのを遮るように仕切壁３４９が第１ハウジング１１０に支持をとって設けられている。この場合、仕切壁３４９の少なくとも下端を可撓性にすることで、ＬＥＤ５０の回動軌跡内まで延ばすことができるようになり、遮光性能を向上させることができる。
【００７７】
また、各スイッチノブホルダ３４４には、周方向の一端が入口としてハの字状に開口した軸受孔３４５が設けられている。これらの軸受孔３４５には、ハの字状に開いた各入口から、後述するスイッチノブ３３０の回動軸３４の両端が回動自在に嵌め込まれている。
【００７８】
また、第１ハウジング３１０の嵌合周壁１６には、図２２に示すように、スイッチノブ３３０がＯＮ位置に操作されたときに、スイッチノブ３３０側に設けた位置決めボス３５の先端が係合するＯＮ時位置決め孔１５Ａと、スイッチノブ３３０がＯＦＦ位置に操作されたときに、スイッチノブ３３０側に設けた位置決めボス３５の先端が係合するＯＦＦ時位置決め孔１５Ｂとが設けられている。
【００７９】
スイッチノブ３３０は、位置決めボス３５の先端が、第１ハウジング１０側のいずれかの位置決め孔１５Ａ、１５Ｂに係合することで、その操作位置に保持されるようになっており、また、スイッチノブ３３０が現位置から他方側へ操作されたときには、位置決めボス３５と位置決め孔１５Ａ、１５Ｂの係合が無理なく若干の抵抗力（クリック感）を感じさせながら外れるようになっている。なお、スイッチＯＮからスイッチＯＦＦに切り換える際、または、その逆に切り換える際の途中でのスイッチノブ３３０の回動抵抗感は、位置決めボス３５の先端が嵌合周壁１６の内面に摺動する際の摺動抵抗や、後述するギヤ機構等の可動部の慣性抵抗などによって得られるようになっている。従って、スイッチノブ３３０はＯＮ位置やＯＦＦ位置から外れていても、勝手にふらつくことはない。
【００８０】
第２ハウジング２０は、第１実施形態と同様に、上面が開口した箱型のもので、長方形の角筒状の周壁２６と底壁（符号省略）とを有している。周壁２６のうちの１つの壁には、ＬＥＤ支持台７０の回動軸７１の一端を回動可能に受ける軸受孔２１が形成されている。また、第２ハウジング２０の内部には、底壁に支持をとることで、ホルダ２２が設けられている。このホルダ２２には、前記軸受孔２１と対向して、ＬＥＤ支持台７０の回動軸７１の他端を回動可能に受ける軸受孔２２Ａが設けられており、この軸受孔２２Ａは、周方向の一端が入口としてハの字状に開口した凹部として形成されている。そして、ＬＥＤ支持台７０の回動軸７１の一端を軸受孔２１に斜めの姿勢で嵌め込みつつ、ＬＥＤ支持台７０の回動軸７１の他端を、入口からホルダ２２の軸受孔２２Ａに嵌め込むことにより、ＬＥＤ支持台７０が回動可能に支持されている。なお、周壁２６のうちのホルダ２２に近い壁の上端には、スイッチノブ３０の位置決めボス３５と干渉を避けるための切欠２９が設けられている。
【００８１】
また、第２ハウジング２０の底部には、図２１に示すように、小型のコネクタハウジング２８Ｈが設けられており、ＦＰＣ６０の回路導体に一端側の第１端子部９１（図４参照）を導通させたバネ端子９０の他端側の第２端子部９２を、このコネクタハウジング２８Ｈの後壁の孔から圧入することで、外部接続用のコネクタ２８が構成されている。
【００８２】
スイッチノブ（スイッチ操作部）３３０は、成形樹脂の材料を透光性樹脂であるか否かに拘わらず任意に選ぶことができるが、ここでは、第１実施形態と同じ透光性樹脂で成形されたものを説明の簡易化の上で用いている。このスイッチノブ３３０は、上端に長方形の操作面板３１を有している。この操作面板３１の上面には遮光塗装面３２が設けられると共に、遮光塗装面３２の２箇所に、遮光性塗装を施さないＯＮ表示部３３ＡとＯＦＦ表示部３３Ｂが設けられている。これらの部分は、遮光性塗装が施されていないため、裏から光が導入されることにより、発光することができる。ＯＮ表示部３３Ａは、スイッチノブ３０のＯＮに設定された側、ＯＦＦ表示部３３Ｂは、スイッチノブ３０のＯＦＦに設定された側に配置されており、それぞれにＯＮの文字とＯＦＦの文字が表記されている。これらのＯＮ表示部３３ＡやＯＦＦ表示部３３Ｂの文字には、赤や緑などの目立ちやすい透明色塗装が施されているとなお良い。
【００８３】
なお、スイッチノブ３３０を最初から不透光性樹脂で成形した場合は、ＯＮ表示部３３ＡとＯＦＦ表示部３３Ｂを発光せることはできなくなるが、使用材料の選択の自由度の向上と、操作面板３１の上面に遮光塗装面３２を設ける必要性をなくせる。
【００８４】
また、このスイッチノブ３３０の側面には、シーソー式に回動させるための回動軸３４が突設されている。回動軸３４は、ＯＮ表示部３３ＡとＯＦＦ表示部３３Ｂの中間に位置しており、この回動軸３４の両端を、導光体３４０に形成したスイッチノブホルダ３４４の軸受孔３４５に嵌めることで、スイッチノブ３３０の操作面板３１が、図２０に示すように、第１ハウジング１１０のパネル壁１１０Ａのスイッチノブ装着用開口部１１１に、周囲の導光体３４０を介して、シーソー状に回動操作（図中有矢印Ａ方向の回動操作）できるように嵌っている。
【００８５】
また、図２２に示すように、このスイッチノブ３３０の側面には、回動軸３４の下側に位置させて、先端が半球状に丸められた位置決めボス３５が突設されている。この位置決めボス３５は、スイッチノブ３３０のＯＮ／ＯＦＦ操作に伴って、その半球状の先端が第１ハウジング１０側の位置決め孔１５Ａ、１５Ｂに選択的に嵌まることで、その位置にスイッチノブ３３０を保持する役目を果たす。
【００８６】
また、スイッチノブ３３０の操作面板３１の下方には、回動軸３４の位置を中心として外周が円弧状に形成された扇型のギヤ３７が設けられており、その円弧状の外周部にギヤの歯３７Ａが周方向に沿って配列されている。
【００８７】
ＬＥＤ５０は、ＦＰＣ６０の可撓板部６２の先端の実装面部６２Ａにその本体部５１が実装されており、図２１に示すように、発光面５２がＦＰＣ６０の実装面部６２Ａの反対側を向いている。ＦＰＣ６０は、固定板部６１と可撓板部６２を一体に有しており、固定板部６１の裏面を両面テープで第２ハウジング２０の内底壁に貼り付けることにより、第２ハウジング２０に固定されている。
【００８８】
また、第１実施形態と同様に、図４に示すように、第２ハウジング２０の底壁には略Ｒ字状の２本のバネ端子９０が装着されている。これらのバネ端子９０は、一端側に湾曲形状の第１端子部９１を有し、他端側に直線形状の第２端子部９２を有するもので、自身のバネの力で、第２ハウジング２０の内底壁に貼り付け固定されたＦＰＣ６０の固定板部６１上の回路導体に第１端子部９１を圧接状態で導通させている。また、図２１に示すように、第２端子部９２を第２ハウジング２０の底面に設けたコネクタハウジング２８Ｈに収容することで、第２端子部９２をコネクタ端子としたコネクタ２８を構成している。
【００８９】
また、ＦＰＣ６０に実装されたＬＥＤ５０を支持するために、可動式のＬＥＤ支持台７０が、第２ハウジング２０の内部に配設されている。ＬＥＤ支持台７０は、回動軸７１と、この回動軸７１の周囲に同軸に設けられたギヤ７２と、ＬＥＤ支持台座部７３とを備えている。ＬＥＤ支持台座部７３は、回動軸７１から離れた頂面を有しており、その頂面にＬＥＤ５０を実装したＦＰＣ６０の実装面部６２Ａが貼り付け固定されている。このＬＥＤ５０を支持する頂面は、回動軸を頂点とする二等辺三角形の底辺に相当する面である。
【００９０】
このように構成されたＬＥＤ支持台７０は、回動軸７１の一端を、第２ハウジング２０の周壁２６の軸受孔２１に嵌め込み、回動軸７１の他端を、第２ハウジング２０の内底部に立設したホルダ２２の軸受孔２２Ａに嵌めることで、回動軸７１を中心に回動自在に支持されており、この状態で、スイッチノブ３３０を組み付けた第１ハウジング１１０と、ＬＥＤ支持台７０を組み付けた第２ハウジング２０を合体させることにより、スイッチノブ３３０のギヤ３７の歯３７ＡとＬＥＤ支持台７０のギヤ７２の歯が噛み合っている。
【００９１】
そして、図２１（ａ）に示すように、スイッチノブ３３０をＯＦＦ位置に操作したとき、ＬＥＤ支持台７０の支持台座部７３に支持されたＬＥＤ５０がスイッチノブ３３０の周囲に配した導光体３４０の入光部３４３の直下に位置し、発光面５２から出射された光Ｈが導光体３４０の枠部３４１を発光させ、一方、図２１（ｂ）に示すように、スイッチノブ３３０をＯＮ位置に操作したとき、ＬＥＤ支持台７０の支持台座部７３に支持されたＬＥＤ５０が横を向き、発光面５２からの光Ｈが反射板８０の凹面状の反射面８１を介して、レンズ４０を通して照明光として外部に放射されるように構成されている。
【００９２】
従って、スイッチノブ３０に設けられたギヤ３７とＬＥＤ支持台７０に設けられたギヤ７２の組み合わせ機構が、「スイッチノブ３０がＯＦＦ操作されているとき、ＬＥＤ５０の発する光がスイッチノブ３０を照らす光となるように照光方向を振り向け、スイッチノブ３０がＯＮ操作されているとき、ＬＥＤ５０の発する光がレンズ（照明窓）４０からの照明光となるように照光方向を振り向ける照光方向切換手段」や「光源移動手段」に相当している。
【００９３】
次に作用を説明する。
図２１（ａ）に示すように、スイッチノブ３３０がＯＦＦ位置に操作されているとき、ＬＥＤ支持台７０の支持台座部７３に支持されたＬＥＤ５０はスイッチノブ３３０の周囲に配した導光体３４０の入光部３４３の直下に位置しており、常時点灯式のＬＥＤ５０の発光面５２から出射された光Ｈは、導光体３４０の内部に導かれて、導光体３４０の枠部３４１を発光させ、暗闇でもスイッチノブ３３０の場所を知らせる。
【００９４】
一方、図２１（ｂ）に示すように、スイッチノブ３３０のＯＮ表示部３３側を矢印Ｆ４のように押し込むと、スイッチノブ３３０がＯＦＦ位置からＯＮ位置に回動し、スイッチノブ３０のギヤ３７が矢印Ｒ５方向に回動することにより、そのギヤ３７に噛み合うＬＥＤ支持台７０側のギヤ７２が矢印Ｒ６方向に回動し、ＬＥＤ支持台７０が回動することにより、支持台座部７３に支持されたＬＥＤ５０が横向きとなり、常時点灯式のＬＥＤ５０の発光面５２から出射された光Ｈは、反射板８０の凹面状の反射面８１に方向に進み、反射面８１で反射されて、レンズ４０を通して照明光として外部に放射される。
【００９５】
このように、この実施形態のスイッチ付き照明ユニットＭ４によれば、ＬＥＤ５０の発する光Ｈの照光方向をスイッチノブ３３０の操作位置に応じて切り換えるので、つまり、スイッチＯＦＦのときは、ＬＥＤ５０の発する光Ｈでスイッチノブ３３０の周囲の導光体３４０の枠部３４１を発光させ、スイッチＯＮのときは、ＬＥＤ５０の発する光Ｈを、レンズ４０を通して照明光として外部に放射させるようにしているので、１つのＬＥＤ５０しか設けないでも、暗闇でのスイッチノブ３３０の照らし出し（スイッチノブ３３０の視認性向上）と、レンズ４０を通して外部を照明する照明機能との両方を満足させることができ、コスト削減を図ることができる。
【００９６】
また、本実施形態の照明ユニットＭ４では、導光体３４０の入光部３４３の近傍に、スイッチノブ３３０がＯＦＦ位置にあるとき、ＬＥＤ５０からの光がレンズ４０の方向へ漏れるのを遮る仕切壁３４９が設けられているので、仕切壁３４９によって、ＬＥＤ５０からの光を漏らさずれ導光体３４０に導入させることができ、暗闇でのスイッチノブ３３０の視認性を高めることができる。
【００９７】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００９８】
例えば、スイッチノブがＯＦＦ位置に操作されているときに、スイッチノブがＯＮ操作されているときよりも、ＬＥＤの発光量を制限する光量調節手段を設ければ、スイッチＯＦＦのときの節電作用とスイッチＯＮのときの高輝度照明機能の両立が図れる。
【００９９】
また、上記実施形態では、ＬＥＤの光の照光方向の切り換えを、直接ＬＥＤを移動させることで行っているが、ＬＥＤの照光方向をミラーを介して切り換えるようにすることもできる。その場合は、ミラーの切り換え機構だけ設ければよくなる。
【０１００】
また、上記実施形態では、光源として１個のＬＥＤ５０を設けた場合を示したが、１群のＬＥＤにより光源を構成してもよい。
【０１０１】
また、第４実施形態で設けた仕切壁３４９は、第１〜第３実施形態に取り付けることも可能であり、その場合は同様の効果を得ることができる。
【符号の説明】
【０１０２】
Ｍ１  スイッチ付き照明ユニット
１０  第１ハウジング
１０Ａ  パネル壁
２０  第２ハウジング
３０  スイッチノブ（スイッチ操作部）
３７  ギヤ（照光方向切換手段）
４０  レンズ（照明窓）
５０  ＬＥＤ（光源）
７２  ギヤ（照光方向切換手段）
Ｍ２  スイッチ付き照明ユニット
１１０  第１ハウジング
１１０Ａ  パネル壁
１３０  スイッチノブ（スイッチ操作部）
１３６Ａ  ラックギヤ（照光方向切換手段）
Ｍ３  スイッチ付き照明ユニット
２１０  第１ハウジング
２１０Ａ  パネル壁
２４０  レンズ（照明窓）
２２０  第２ハウジング（ハウジング本体）
２３０  スイッチノブ（スイッチ操作部）
２７２  ギヤ（照光方向切換手段）
２８０  中間ギヤ（照光方向切換手段）  
Ｍ４  スイッチ付き照明ユニット
３１０  第１ハウジング
３１０Ａ  パネル壁
３３０  スイッチノブ（スイッチ操作部）
３４０  導光体
３４３  入光部
３４９  仕切壁
【図１】
2011204629.tif 000003
【図２】
2011204629.tif 000004
【図３】
2011204629.tif 000005
【図４】
2011204629.tif 000006
【図５】
2011204629.tif 000007
【図６】
2011204629.tif 000008
【図７】
2011204629.tif 000009
【図８】
2011204629.tif 000010
【図９】
2011204629.tif 000011
【図１０】
2011204629.tif 000012
【図１１】
2011204629.tif 000013
【図１２】
2011204629.tif 000014
【図１３】
2011204629.tif 000015
【図１４】
2011204629.tif 000016
【図１５】
2011204629.tif 000017
【図１６】
2011204629.tif 000018
【図１７】
2011204629.tif 000019
【図１８】
2011204629.tif 000020
【図１９】
2011204629.tif 000021
【図２０】
2011204629.tif 000022
【図２１】
2011204629.tif 000023
【図２２】
2011204629.tif 000024
【図２３】
2011204629.tif 000025